(57)【要約】【課題】デジタルカメラがクレードル装置に設置されているときに、使用者の意図に反して電源のオン／オフが切り替えられてしまうことを防止する。【解決手段】デジタルカメラシステム１は、デジタルカメラ２と、クレードル装置３とからなる。クレードル装置３に信号部５９が設けられ、デジタルカメラ２には検出部５０ａが設けられている。デジタルカメラ２をクレードル装置３に設置したとき、接続コネクタ３３と接続端子４０とを介して電気的に接続される。信号部５９が出力する信号を検出部５０ａが検出して、デジタルカメラ２がクレードル装置３へ設置状態であることを識別する。クレードル装置３への設置状態が識別され、かつ再生モードが選択されているとき、電源の切り替え操作を無効化する。【選択図】        図６
2004179858.tif 000002
【特許請求の範囲】
【請求項１】
撮像素子により撮像された画像データを外部機器に出力する撮像出力モード、及び電子記憶媒体から読み出された画像データを表示手段に表示させる再生モードを含む複数のモードを備え、これらのモードのうちいずれかを選択可能なデジタルカメラと、このデジタルカメラが設置されたとき、デジタルカメラへ電源を供給する電源供給部、及びこの電源供給部のオン／オフを切り替えるための電源ボタンを有するクレードル装置とからなるデジタルカメラシステムにおいて、
前記クレードル装置には信号部を設けるとともに、前記デジタルカメラには前記信号部から出力される信号を識別することによってクレードル装置に設置されていることを検出する検出部を設けており、この検出部によってデジタルカメラのクレードル装置への設置状態が検出され、かつ前記再生モードが選択されているときには、前記電源ボタンの操作を無効化し、前記電源供給部のオン／オフ切り替えを行わないことを特徴とするデジタルカメラシステム。
【請求項２】
撮像素子により撮像された画像データを外部機器に出力する撮像出力モード、及び電子記憶媒体から読み出された画像データを表示手段に表示させる再生モードを含む複数のモードを備え、これらのモードのうちいずれかを選択可能なデジタルカメラと、このデジタルカメラが設置されたとき、デジタルカメラへ電源を供給する電源供給部、及びこの電源供給部のオン／オフを切り替えるための電源ボタンを有するクレードル装置とからなるデジタルカメラシステムにおいて、
前記クレードル装置には信号部を設けるとともに、前記デジタルカメラには前記信号部から出力される信号を識別することによってクレードル装置に設置されているデジタルカメラの向きを検出する検出部を設けており、この検出部によってデジタルカメラの前記表示手段を設けている面が、前方又は上方を向いていることが検出されているときには、前記電源ボタンの操作を無効化し、前記電源供給部のオン／オフ切り替えを行わないことを特徴とするデジタルカメラシステム。
【発明の詳細な説明】
【０００１】
【発明の属する技術分野】
本発明は、デジタルカメラをクレードル装置に接続し、デジタルカメラへ電源を供給するデジタルカメラシステムに関するものである。
【０００２】
【従来の技術】
【特許文献１】
特開２０００−１５２０４７号公報
【特許文献２】
特開２００２−２３２７６９号公報
【０００３】
近年デジタルカメラは、単独での使用の他に、パーソナルコンピュータ（以下、ＰＣという。）などの外部機器と接続し、撮像した被写体画像をＰＣへ出力するＰＣカメラとして使用することが多い。このようなＰＣカメラとして使用するときには、ＰＣ及びデジタルカメラを使用者の付近（例えば机上）に設置し、ＰＣがインターネットに接続しているときには、使用者自身を撮影してリアルタイムで画像を送信したりすることが一般的である。
【０００４】
一方、デジタルカメラは軽量・小型で携帯性の良いことが最大の利点であるため、カメラボディに内蔵する部品点数はなるべく少なくした方が良い。そこで、特許文献１及び２に記載されているように、パーソナルコンピュータとの接続のためのＩ／Ｆ（インターフェース）を備えた中継機能、及び電源供給機能などを備えた、例えば、クレードル・アッセンブリや、ドッキングステーションと呼称されるものがデジタルカメラに付属していることが多い。以下では、このクレードル・アッセンブリやドッキングステーションといわれるものをクレードル装置と称して説明する。
【０００５】
上述したようなクレードル装置が付属するデジタルカメラの場合、クレードル装置には、カメラボディの底面部に合わせた形状の設置部が設けられており、この設置部に設置することによって、カメラボディは所定の角度に位置決めされる。これによって、ＰＣカメラとして使用するときも、使用者自身を容易に撮影することが可能となり、かつクレードル装置からデジタルカメラへ電源を供給しながら撮影しているので、バッテリの残量などを気にせずに長時間使用することができる。
【０００６】
さらに、上記特許文献２に記載されているデジタルカメラでは、ＰＣカメラとして使用するＰＣカメラモードの他に、撮影した静止画像をメモリ内に記録するスチル撮影モード、及び記録された画像データを表示手段に表示する再生モードなどを備えており、モード切替スイッチの操作によって各モードのいずれか１つを選択可能となっている。再生モードのときに画像を表示する表示手段としては、例えば画像表示用ＬＣＤを備えていることが一般的である。この画像表示用ＬＣＤは画像の再生の他にも、撮像時にリアルタイムで被写体画像を表示するビューファインダーとしても使用されることからカメラボディの背面側に設けられていることが多い。
【０００７】
【発明が解決しようとする課題】
しかしながら、上記特許文献２に記載されているようなデジタルカメラでは、ＰＣカメラとして使用者自身を撮像する状態が重視されていることから、カメラボディへの電源供給のオン／オフを切替える電源ボタンがクレードル装置の前面に設けられている。このため、デジタルカメラをＰＣカメラとして使用しているときには、カメラボディが前面側を向いており、電源ボタンも使用者から見えやすい位置にあるため、電源ボタンの操作を確実に行うことができるが、デジタルカメラを再生モードに切り替えて画像表示用ＬＣＤを前面に位置するように向きを変えたときには、電源ボタンが背面側に位置することになり、使用者から見え難い位置になってしまうので、使用者が電源ボタンの切り替えを行うつもりではなくても、単にカメラボディの向きを調整するときなどに誤って電源ボタンに触れてしまい、電源がオフになることがある。また、この位置を保ったまま電源をオフにしているときに、誤ってオン状態にしてしまうこともある。
【０００８】
本発明は、デジタルカメラがクレードル装置に設置されているときに、使用者の意図に反して電源のオン／オフが切り替えられてしまうことを防止するデジタルカメラシステムを提供することを目的とする。
【０００９】
【課題を解決するための手段】
前記目的を達成するために、本発明のデジタルカメラシステムでは、撮像素子により撮像された画像データを外部機器に出力する撮像出力モード、及び電子記憶媒体から読み出された画像データを表示手段に表示させる再生モードを含む複数のモードを備え、これらのモードのうちいずれかを選択可能なデジタルカメラと、このデジタルカメラが設置されたとき、デジタルカメラへ電源を供給する電源供給部、及びこの電源供給部のオン／オフを切り替えるための電源ボタンを有するクレードル装置とからなるデジタルカメラシステムにおいて、前記クレードル装置には信号部を設けるとともに、前記デジタルカメラには前記信号部から出力される信号を識別することによってクレードル装置に設置されていることを検出する検出部を設けており、この検出部によってデジタルカメラのクレードル装置への設置状態が検出され、かつ前記再生モードが選択されているときには、前記電源ボタンの操作を無効化し、前記電源供給部のオン／オフ切り替えを行わない。
【００１０】
また、請求項２記載のデジタルカメラシステムでは、前記クレードル装置には信号部を設けるとともに、前記デジタルカメラには前記信号部から出力される信号を識別することによってクレードル装置に設置されているデジタルカメラの向きを検出する検出部を設けており、この検出部によってデジタルカメラの前記表示手段を設けている面が、前方又は上方を向いていることが検出されているときには、前記電源ボタンの操作を無効化し、前記電源供給部のオン／オフ切り替えを行わない。
【００１１】
【発明の実施の形態】
図１、図２及び図３は、本発明を実施したデジタルカメラシステム１の構成を示す外観斜視図である。デジタルカメラシステム１は、静止画撮像を行なう静止画撮像モードと、撮像画像を再生する再生モードと、パーソナルコンピュータに接続して動画入力用のカメラとして機能するＰＣカメラモード等の複数の動作モードを備えており、図２は、再生モードのときの使用状態を、図３はＰＣカメラモードのときの使用状態を示している。
【００１２】
デジタルカメラシステム１は、使用者が携帯し、持ち歩くことが可能なデジタルカメラ２と、このデジタルカメラ２が設置されるクレードル装置３とからなる。デジタルカメラ２のカメラボディ４の前面には、撮像レンズ５が組み込まれたレンズ鏡筒６，被写体に向けてストロボ光を照射するストロボ発光部７が設けられており、左側面には、シャッタレリーズ操作に用いられるシャッタボタン８，ズームボタン９等が設けられている。
【００１３】
カメラボディ４の一方の側面には、メモリカード１４が着脱自在にセットされるカードスロット１５が設けられている。このカードスロット１５の奥には、後述するメディアコントローラ１６（図６参照）が組み込まれており、カードスロット１５にメモリカード１４をセットすると、メディアコントローラ１６にメモリカード１４が電気的に接続される。カードスロット１５は塵芥の侵入などを防止するために、開閉式の保護カバー１７によって保護されている。
【００１４】
カメラボディ４の背面には、操作部２１、撮像した画像の表示手段及びビューファインダとして機能する画像表示用ＬＣＤ２２、スピーカ２３等が設けられている。操作部２１内には、電源のオン／オフを切り換える電源ボタン２４と、複数の操作ボタン２５〜２７と、十字キー２８と、モード切替ボタン２９が設けられている。
【００１５】
デジタルカメラ２の各モードの選択操作はモード切替ボタン２９を操作することによって行われる。モード切替ボタン２９の下方には、指標３１、及び３２が設けられており、ＰＣカメラモードのときは指標３１の位置に、再生モードのときは指標３２の位置に、モード切替ボタン２９の摘み部２９ａの位置を合わせる。また、その他の各種設定は、各操作ボタン２５〜２７と十字キー２８とを組み合わせて操作することによって行なわれる。スピーカ２３は、再生モードのとき、画像表示と同時に音を再生することができる。
【００１６】
カメラボディ４の底面部４ａには、接続コネクタ３３及び電池蓋３４が設けられている。接続コネクタ３３は、デジタルカメラ２の外周から突出しないように凹形状に形成されている。電池蓋３４は底面部４ａに対して開閉自在に取り付けられている。この電池蓋３４を開状態としたとき、内部のバッテリ室へのアクセスが可能となる。バッテリ室には充電可能な２次電池としてのバッテリ３５がセットされる。
【００１７】
クレードル装置３は、デジタルカメラ２に接続してＡＣ電源やパーソナルコンピュータ等の外部機器との接続を介在する。クレードル装置３は、脚部３６及びクレードルボディ３７からなる。クレードルボディ３７は、略矩形の箱状に形成された上方部３７ａと、底面側が下方へ突出する半円柱状に形成された下方部３７ｂとが一体に固着されている。上方部３７ａの上面には、デジタルカメラ２が設置される設置部３９が形成されている。
【００１８】
この設置部３９は、カメラボディ４の底面部４ａの外周に合わせた凹形状に形成されており、この設置部３９に底面部４ａの位置を合わせて置くことによって、デジタルカメラ２が所定の角度に位置決めされて支持される。
【００１９】
設置部３９の内部には、接続端子４０が設けられている。この接続端子４０は、設置部３９にデジタルカメラ２が設置されたとき、カメラボディ４の底面部４ａに設けられた接続コネクタ３３に嵌合して、デジタルカメラ２とクレードル装置３とを電気的に接続する。クレードル装置３はデジタルカメラ２を安定して保持する台として機能するとともに、デジタルカメラ２と電気的に接続されることによって、充電や外部機器との接続を介在するターミナルとしても機能する。デジタルカメラ２がセットされた際には、デジタルカメラ２を被写体に向けて保持する三脚的な機能も果たす。
【００２０】
クレードルボディ３７の前面には、クレードル装置３に接続されたデジタルカメラ２の電源のオン／オフを操作する電源ボタン４１と、デジタルカメラ２の動作状態に合わせて発光する状態表示用発光部４２とが設けられている。
【００２１】
クレードルボディ３７の一方の側面には、ＡＣ電源コネクタ４３、及びＵｎｉｖｅｒｓａｌ  Ｓｅｒｉａｌ  Ｂｕｓ（ＵＳＢ）コネクタ４４が設けられている。ＡＣ電源コネクタ４３にはＡＣ電源アダプタ４５（図６参照）が接続されてＤＣ電源が供給され、ＵＳＢコネクタ４４には、パーソナルコンピュータ（ＰＣ）などの外部機器が接続される。これらのコネクタ４３，４４は、クレードル装置３内部で接続端子４０に接続されている。また、クレードルボディ３７の背面側には、開口部４６が形成されており、この開口部４６から、デジタルカメラ２のスピーカ２３が露呈される。
【００２２】
脚部３６は、詳しくは図４及び図５に示すように、底面部３６ａと、ガイド部３６ｂと、支柱部３６ｃとからなる。底面部３６ａは、略円盤状に形成されており、クレードル装置３を安定して置くことができる。ガイド部３６ｂは、クレードルボディ３７の下方部３７ｂの曲面に合わせて形成された曲面が上面に形成されている。支柱部３６ｃは、略矩形の柱状で底面部３６ａのほぼ中央に位置し、さらにこの支柱部３６ａの上面にガイド部３６ｂが位置するように一体に形成されている。また、ガイド部３６ｂの上面にはボス３６ｄが一体に形成されている。
【００２３】
クレードルボディ３７の下方部３７ｂの底面にはスリット４７が形成されており、このスリット４７に、ボス３６ｄが係合し、さらにボス３６ｄと抑え片４８とが、ネジ４９によってネジ止めされることによって、クレードルボディ３７と脚部３６とが連結している。クレードルボディ３７は、ガイド部３６ｂの曲面に沿って回動自在となっている。これによって、クレードルボディ３７の設置部３９に設置されたデジタルカメラ２の傾きを調整することが可能となっている。
【００２４】
図６は、デジタルカメラ２とクレードル装置３との電気的構成を示すブロック図である。デジタルカメラ２には、システムコントローラ５０が設けられており、このシステムコントローラ５０は、シャッタボタン８，ズームボタン９、及び操作部２１から入力される各操作信号に基づきデジタルカメラ２の各部を統括的に制御する。
【００２５】
ＲＯＭ５１には、各種制御用のプログラムや設定情報などが記録されており、システムコントローラ５０は、これらの情報をＲＯＭ５１から、作業用メモリであるＲＡＭ５２にロードして、各種の処理を実行する。ＲＡＭ５２としては、例えば、ＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）が使用される。
【００２６】
撮影モードでは、シャッタボタン８が押されると、撮像部５３によって撮像が行われ、撮像された画像データが、メモリカード１４に記録される。撮像部５３は、撮像レンズ５，ＣＣＤイメージセンサ，ズーミングや焦点調節を行うためのレンズ移動機構，絞り切り換え機構等からなる。
【００２７】
ＣＣＤイメージセンサは、周知のように、被写体光を光電変換してアナログの撮像信号に変換する。アナログの撮像信号は、Ａ／Ｄコンバータによってデジタルデータに変換された後、ＲＡＭ５２に一時的に書き込まれる。画像処理部５４は、ＲＡＭ５２に書き込まれた画像データに対して、ガンマ補正，シャープネス補正，コントラスト補正等の各種画質補正処理を施した後、処理済みのデータをＪＰＥＧなどの圧縮形式で圧縮する。この圧縮された画像データが、メディアコントローラ１６によってメモリーカード１４に書き込まれる。
【００２８】
再生モードでは、メモリーカード１４から画像が読み出されて、画像処理部５４において、伸張処理がされた後リサイズ処理が施され、画素数の少ない表示用画像データが作成される。この表示用画像データがＲＡＭ５２内のＶＲＡＭエリアに書き込まれる。ビデオエンコーダ５５は、表示用画像データをアナログのコンポジット信号に変換して画像表示用ＬＣＤ２２に出力する。これにより画像表示用ＬＣＤ２２に画像が再生表示される。
【００２９】
さらに、システムコントローラ５０には、ＵＳＢコントローラ５７と、電源制御回路５８とが接続されている。ＵＳＢコントローラ５７は、一方のラインがシステムコントローラ５０に接続され、反対側のラインが接続コネクタ３３に接続されている。このＵＳＢコントローラ５７は、接続コネクタ３３と接続端子４０とが接続され、後述する信号部５９からの信号が送られてきたとき、その接続状態を認識して外部機器とデジタルカメラ２との間でのデータ転送制御を行う。ＵＳＢ規格は、パーソナルコンピュータとその周辺機器との間の標準的な通信インターフェースの１つである。
【００３０】
電源制御回路５８は、デジタルカメラ２に着脱自在にセットされるバッテリ３５や、クレードル装置３から供給されたＤＣ電源をデジタルカメラ２内の各部に分配する。
【００３１】
クレードル装置３の接続端子４０には、ＡＣ電源コネクタ４３及びＵＳＢコネクタ４４とともに、信号部５９が接続されている。信号部５９は、入力側がＡＣ電源コネクタ４３に、出力側が接続端子４０に接続されている。この信号部５９としては、ＤＣ電源が入力されたときに、Ｈレベルの信号を出力するプルアップ抵抗が組み込まれたＩＣチップなどが用いられる。これによって、この信号部５９は、ＡＣ電源コネクタ４３にＡＣ電源アダプタ４５が接続されてＤＣ電源が送られているとき、Ｈレベルの信号を接続端子４０側へ出力する。
【００３２】
さらにシステムコントローラ５０の内部には、検出部５０ａが設けられている。この検出部５０ａは、デジタルカメラ２がクレードル装置３に設置されているときには、接続コネクタ３３からＵＳＢコントローラ５７を経由して送られてきたＨレベルの信号を検出し、クレードル装置３に設置されていないとき、すなわち、信号部５９からＨレベルの信号が送られてこないときには、プルダウンされ、Ｌレベルの信号を検出するように構成された検出回路となっている。
【００３３】
なお、上記では、クレードル装置３に内蔵された信号部５９から出力された信号を検出部５０ａによって検出し、デジタルカメラ２のクレードル装置３への設置状態を識別するようにしているが、これに限らず、クレードル装置３に設けられたバーコードなどの信号部を、デジタルカメラ２に設けられた光学式センサなどの検出部で検出したり、クレードル装置３に形成された突起部がデジタルカメラ２の底面部に設けられたスイッチを押すことによって検出される検出部を設けたりしてもよい。
【００３４】
上記構成の作用について、図７に示すフローチャートを参照しながら説明する。デジタルカメラ２に設けられた電源ボタン２４、又はクレードル装置３に設けられた電源ボタン４２のいずれかが押圧されたとき、システムコントローラ５０に電源のオン／オフ状態の切り替えを命令する電源切替信号が入力される。
【００３５】
システムコントローラ５０は、電源切替信号が入力されると、先ず検出部５０ａによって検出された信号からデジタルカメラ２のクレードル装置３への設置状態を識別する。検出部５０ａによってデジタルカメラ２がクレードル装置３に設置されていないことを識別したときには、デジタルカメラ２のモード選択がいずれの場合にも関わらず、電源切替信号に従って電源のオン／オフを切り替えるように電源制御回路５８へ制御信号を送信する。
【００３６】
そして、クレードル装置３の設置部３９にデジタルカメラ２が設置されているとき、検出部５０ａは、信号部５９から出力されたＨレベルの信号を検出して、デジタルカメラ２のクレードル装置３への設置状態を識別する。検出部５０ａによってデジタルカメラ２のクレードル装置３への設置状態が識別されるとシステムコントローラ５０は、次に、デジタルカメラ２が複数のモードのうち、どれが選択されているかを識別する。このとき、ＰＣカメラモードが選択されている場合、電源切替信号に従って電源のオン／オフを切り替えるように電源制御回路５８へ制御信号を送信する。
【００３７】
そして、このとき再生モードが選択されている場合、電源切替信号を無効化し、電源のオン／オフを切り替える制御を行わず、電源制御回路５８は、電源切り替え操作前の電源オン又はオフ状態を続行する。これによって、再生モードのときに画像表示用ＬＣＤ２２が前方かつ上方を向くようにデジタルカメラ２が位置しており、電源ボタン４２が使用者から見えにくい位置にあるときでも、使用者の意図に反して、誤って電源のオン／オフを切り替えることがない。
【００３８】
なお、上記第１の実施形態においては、クレードル装置３へのデジタルカメラ２の設置状態に基づいて、電源の切り替えを制御しているが、本発明はこれに限るものではなく、デジタルカメラ２の姿勢状態によって電源の切り替えを制御してもよい。以下では、デジタルカメラ２の姿勢状態によって電源の切り替えを制御する本発明の第２の実施形態について説明する。この第２の実施形態では、図８及び図９に示すように、姿勢検出用のスイッチ６１をクレードル装置３に設けるとよい。なお、図８及び図９においては、上記実施形態と同じ部品、及び部材については、同じ符号を付して説明を省略する。
【００３９】
この姿勢検出用スイッチ６１は、クレードル装置３の脚部３６と一体に固定されており、図９（Ａ）に示すようなＰＣカメラモードのときは、オフ状態となっている。そして、再生モードのときはデジタルカメラ２の前面が上方を向き、背面が下方を向くように、クレードルボディ３７とともにデジタルカメラ２を脚部３６に対して回動させて、図９（Ｂ）に示すような状態とする。このとき、姿勢検出用スイッチ６１は、クレードルボディ３７と一体に形成された突起部６２によって押圧され、オン状態となる。そして、オン状態となった姿勢検出用スイッチ６１は、Ｈレベルの信号を出力する。このような構成とした場合の作用を、図１０に示すフローチャートを用いて説明する。
【００４０】
システムコントローラ５０に電源のオン／オフ状態の切り替えを命令する電源切替信号が入力されると、姿勢検出用スイッチ６１の出力からデジタルカメラ２の姿勢状態を識別する。デジタルカメラ２がＰＣカメラモードの姿勢であることを識別したときには、電源切替信号に従って電源のオン／オフを切り替えるように電源制御回路５８へ制御信号を送信する。そして、デジタルカメラ２が再生モードの姿勢であるとき、姿勢検出用スイッチ６１から出力されたＨレベルの信号を検出して、デジタルカメラ２の姿勢状態を識別する。デジタルカメラ２が再生モードの姿勢にあることを識別すると、システムコントローラ５０は電源切替信号を無効化し、電源のオン／オフを切り替える制御を行わず、電源制御回路５８は、電源切り替え操作前の電源オン又はオフ状態を続行する。これによって、再生モードの姿勢状態にあり、電源ボタン４２が使用者から見えにくい位置にあるときでも、使用者の意図に反し、誤って電源のオン／オフを切り替えることがない。また、この場合、上記第１の実施形態で行ったモード選択の識別を行う必要がなく、簡単なプロセスで電源オン／オフの切り替えを制御することができる。
【００４１】
また、上記第２の実施形態においては、クレードルボディ３７の脚部３６に対する傾きに基づいて、デジタルカメラ２の姿勢状態を検出しているが、本発明はこれに限るものではなく、図１１に示すように、デジタルカメラ２の上下方向と平行な回動軸を中心にして、クレードルボディ３７が脚部３６に対して回動自在とする構成としてもよい。この場合、図１１（Ａ）に示すＰＣカメラモードの姿勢のとき、すなわち、画像表示用ＬＣＤ２２が背面側を向く姿勢にあるときには、姿勢検出用スイッチがオフ状態となっており、図１１（Ｂ）に示す再生モードの姿勢のとき、すなわち、画像表示用ＬＣＤ２２が前面側を向く姿勢にあるときには、姿勢検出用スイッチがオン状態となるようにすればよい。
【００４２】
【発明の効果】
以上詳細に説明したように、本発明のデジタルカメラシステムは、クレードル装置の設置部に設けた信号部から出力された信号を、デジタルカメラに設けた検出部によって検出し、デジタルカメラのクレードル装置への設置状態が検出され、かつ再生モードが選択されているときには、電源ボタンの操作を無効化し、電源供給部のオン／オフ切り替えを行わないようにしたので、使用者の意図に反し、デジタルカメラの電源のオン／オフを切り替えてしまうことを防ぐことができる。
【００４３】
また、請求項２記載のデジタルカメラシステムでは、検出部によってデジタルカメラの表示手段を設けている面が、前方又は上方を向いていることが検出されているときには、電源ボタンの操作を無効化し、電源供給部のオン／オフ切り替えを行わないようにしているので、使用者の意図に反し、デジタルカメラの電源のオン／オフを切り替えてしまうことを防ぎ、かつ簡単なプロセスで電源の制御を行うことができる。
【図面の簡単な説明】
【図１】本発明のデジタルカメラシステムを構成するデジタルカメラ及びクレードル装置を示す斜視図である。
【図２】デジタルカメラシステムがＰＣカメラモードにあるときの状態を示す外観斜視図である。
【図３】デジタルカメラシステムが再生モードにあるときの状態を示す外観斜視図である。
【図４】クレードル装置の脚部の構成を示す分解斜視図である。
【図５】クレードル装置の要部断面図である。
【図６】デジタルカメラシステムの電気的構成を示すブロック図である。
【図７】デジタルカメラシステムが電源制御を行うときのプロセスを示すフローチャートである。
【図８】第２の実施形態のデジタルカメラシステムの電気的構成を示すブロック図である。
【図９】第２の実施形態のデジタルカメラシステムを構成するクレードル装置の要部断面図である。
【図１０】第２の実施形態のデジタルカメラシステムが電源制御を行うときのプロセスを示すフローチャートである。
【図１１】第２の実施形態の別の実施例を示す説明図である。
【符号の説明】
１  デジタルカメラシステム
２  デジタルカメラ
３  クレードル装置
５  撮像レンズ
１４  メモリカード
２２  画像表示用ＬＣＤ
３３  接続コネクタ
３５  バッテリ
４０  接続端子
５０  システムコントローラ
５０ａ  検出部
５８  信号部
【図１】
2004179858.tif 000003
【図２】
2004179858.tif 000004
【図３】
2004179858.tif 000005
【図４】
2004179858.tif 000006
【図５】
2004179858.tif 000007
【図６】
2004179858.tif 000008
【図７】
2004179858.tif 000009
【図８】
2004179858.tif 000010
【図９】
2004179858.tif 000011
【図１０】
2004179858.tif 000012
【図１１】
2004179858.tif 000013